(57)【要約】【課題】特定の波長の光線を選択的に反射することができ、耐擦傷性が高く、かつ優れた防汚性を有する選択波長反射フィルムを提供すること。【解決手段】透明基材上に選択反射層及び表面保護層をこの順に少なくとも有し、選択反射層がコレステリック構造を有する棒状化合物を含んでなり、かつ表面保護層が電離放射線硬化性樹脂組成物の架橋硬化したものである選択波長反射フィルムである。【選択図】図１
2012032759.tif 000002
【特許請求の範囲】
【請求項１】
透明基材上に選択反射層及び表面保護層をこの順に少なくとも有し、選択反射層がコレステリック構造を有する棒状化合物を含んでなり、かつ表面保護層が電離放射線硬化性樹脂組成物の架橋硬化したものである選択波長反射フィルム。
【請求項２】
前記選択波長が赤外線領域である請求項１に記載の選択波長反射フィルム。
【請求項３】
前記電離放射線硬化性樹脂組成物中に、反応性官能基Ｂを有するシリケート化合物又はアルキルシリケートを含む請求項１又は２に記載の選択波長反射フィルム。
【請求項４】
前記電離放射線硬化性樹脂がカプロラクトン系ウレタン（メタ）アクリレートである請求項１〜３のいずれか１項に記載の選択波長反射フィルム。
【請求項５】
前記電離放射線硬化性樹脂組成物に紫外線吸収剤及び／又は光安定剤を含有する請求項１〜４のいずれか１項に記載の選択波長反射フィルム。
【請求項６】
前記選択反射層と表面保護層の間にさらに耐候性付与層を有し、該耐候性付与層が硬化性樹脂、紫外線吸収剤及び／又は光安定剤を含有する硬化性樹脂組成物からなる請求項１〜５のいずれか１項に記載の選択波長反射フィルム。
【請求項７】
前記光安定剤が、反応性官能基Ａを有するヒンダードアミン系光安定剤である請求項５又は６に記載の選択波長反射フィルム。
【請求項８】
前記選択反射層が、紫外線又は電子線によって硬化されたものである請求項１〜７のいずれか１項に記載の選択波長反射フィルム。
【請求項９】
透明基材と選択反射層の間にさらに接着剤層を有する請求項１〜８のいずれか１項に記載の選択波長反射フィルム。
【請求項１０】
透明基材の選択反射層を設ける側の反対側に粘着剤層を有する請求項１〜９のいずれか１項に記載の選択波長反射フィルム。
【請求項１１】
ガラス基板上に、請求項１０に記載の選択波長反射フィルムを、粘着剤層を介して貼付した選択波長反射ガラス。
【請求項１２】
プラスチック基板上に、請求項１０に記載の選択波長反射フィルムを、粘着剤層を介して貼付した選択波長反射プラスチック板。
【発明の詳細な説明】
【技術分野】
【０００１】
本発明は、特定の波長の光線を選択的に反射し得る選択波長反射フィルム、該反射フィルムを用いた選択波長反射ガラス、及び選択波長反射プラスチック板に関する。
【背景技術】
【０００２】
窓ガラスから室内に入り込む太陽光は、可視光線の他に、紫外線や赤外線なども含まれている。紫外線は日焼けの原因や人体に対する悪影響が懸念され、また包装材を劣化させ、内容物の変質を生じさせる。一方、赤外線は建物の室内や車内の温度上昇を引き起こし、夏場の冷房効果を低下させる。
このような、多くの波長を有する太陽光から、特定の波長の光、例えば赤外線を選択的に反射させ、可視光の透過性を維持することができれば、室内等の明るさを維持したまま、室内の温度上昇を抑制することが可能である。
【０００３】
このような課題を達成するために、種々の提案がなされている。例えば、可視光の透過率を低下させることなく、近赤外線を高効率で反射させることを目的として、広帯域で近赤外線を反射する薄膜コーティングを施した透明基板と、近赤外線部に鋭い波長選択反射性を有するコレステリック液晶製のフィルタとからなる積層体が提案されている（特許文献１参照）。また、透明基材フィルム上に、電離放射線硬化型樹脂、赤外線吸収剤又は赤外線遮蔽剤、及び電離放射線硬化型シリコーン樹脂を含む塗膜の硬化物からなる赤外線遮蔽フィルムが提案されている（特許文献２及び特許文献３参照）。また、無機粒子を含有する樹脂層よりなる屈折率が１．７５以上の高屈折率層を有する熱線遮蔽膜及び該熱線遮蔽膜を基板に積層した積層体が提案されている（特許文献４参照）。
しかしながら、特許文献１に記載の積層体は、合わせガラスの一態様であって、その使用方法には大きな制約がある。また、特許文献２及び３に記載の赤外線遮蔽フィルムは、いずれも有機系又は無機系の赤外線吸収剤を必須とするものであり、反射させる波長の選択性の制御が不十分であり、可視光の高い透過率を維持しつつ、赤外線の高い遮蔽率を得るには限界があった。また、特許文献４に開示される熱線遮蔽膜は高い選択反射率を得るために、高屈折率層と低屈折率層を交互に複数積層する必要があり、製造工程が煩雑であるという問題があった。
また、赤外線遮蔽フィルム等は、例えば、窓ガラス等に貼着して使用されることが想定されることから、その表面物性も重要であり、表面に対して耐擦傷性等が求められる。さらに、窓の外側や屋根などに使用される場合には、日々直射日光や風雨に晒されるため、極めて厳しい耐候性が求められるとともに、防汚性も求められている。
【先行技術文献】
【特許文献】
【０００４】
【特許文献１】特開平４−２８１４０３号公報
【特許文献２】特許第４３５９３５６号公報
【特許文献３】特許第４１９０６５７号公報
【特許文献４】特開２００９−８６６５９号公報
【発明の開示】
【発明が解決しようとする課題】
【０００５】
本発明は、このような課題に対して、特定の波長の光線を選択的に反射することができ、耐擦傷性が高く、かつ優れた防汚性を有する選択波長反射フィルム、該選択波長反射フィルムを用いた選択波長反射ガラス及び選択波長反射プラスチック板を提供することを目的とするものである。
【課題を解決するための手段】
【０００６】
本発明者らは、前記目的を達成するために鋭意研究を重ねた結果、コレステリック構造を形成可能な棒状化合物の波長選択性利用した選択反射層を設けることで、上記課題を解決し得ることを見出した。本発明はかかる知見に基づいて完成したものである。
すなわち、本発明は、透明基材上に選択反射層及び表面保護層をこの順に少なくとも有し、選択反射層がコレステリック構造を有する棒状化合物を含んでなり、かつ表面保護層が電離放射線硬化性樹脂組成物の架橋硬化したものである選択波長反射フィルム、該選択波長反射フィルムを用いた選択波長反射ガラス、及び選択波長反射フィルムを用いた選択波長反射プラスチック板を提供するものである。
【発明の効果】
【０００７】
本発明によれば、特定の波長の光線を選択的に反射し得る選択波長反射フィルムを得ることができる。特に、赤外線に相当する波長である７８０〜２５００ｎｍの光線を選択的に反射させる場合には、可視光の透過性を維持しつつ、赤外線に対して優れた反射性を有する選択波長反射フィルム（赤外線反射フィルム）を得ることができる。
【図面の簡単な説明】
【０００８】
【図１】本発明の選択反射フィルムの一態様を示す概念図である。
【図２】本発明の選択反射フィルムの他の一態様を示す概念図である。
【発明を実施するための形態】
【０００９】
本発明の選択波長反射フィルムは、透明基材上に選択反射層及び表面保護層をこの順に少なくとも有する。以下、各構成要件について、図１を用いて説明する。図１は、本発明の選択反射フィルム１０を示すものであり、透明基材１１上に選択反射層１２及び表面保護層１３をこの順に有する。
【００１０】
［透明基材］
本発明の選択波長反射フィルムは、可視光を透過し、特定の波長の光線を反射することが目的であり、基材は透明であることが必要である。ここで本発明における透明とは、全光線透過率が８０％以上のものをいう。
本発明の選択波長反射フィルムに用いられる基材としては、プラスチックフィルム、プラスチックシートが好ましく、ポリオレフィン樹脂、ビニル系樹脂、ポリエステル樹脂、アクリル樹脂、ポリアミド樹脂、セルロース系樹脂、ポリスチレン樹脂、ポリカーボネート樹脂、ポリアリレート樹脂、ポリイミド樹脂などからなるものが好ましく挙げられる。
これらのうち、透明性や可撓性などの点から、ポリエチレンテレフタレート（ＰＥＴ）フィルムなどのポリエステル樹脂、トリアセチルセルロース（ＴＡＣ）などのセルロース系樹脂などがさらに好ましく、汎用性、入手が容易な点でＰＥＴが特に好ましい。
【００１１】
これらの基材は、その上に設けられる層との密着性を向上させるために、所望により、片面または両面にコロナ放電処理、クロム酸化処理、熱風処理、オゾン・紫外線処理法などの酸化法や、サンドブラスト法、溶剤処理法などの凹凸化法、プラズマ処理といった、物理的または化学的表面処理を施すことができる。
該基材は、基材と表面保護層との層間密着性や、各種の被着材との接着性の強化などのためのプライマー層や、裏面プライマー層を形成するなどの処理を施してもよい。プライマー層の形成に用いられる材料としては特に限定されず、アクリル系樹脂、塩化ビニル−酢酸ビニル共重合体、ポリエステル、ポリウレタン、塩素化ポリプロピレン、塩素化ポリエチレンなどが挙げられる。なお、裏面プライマー層に用いられる材料は被着材によって、適宜選択される。
また、透明性を阻害しない範囲内であれば、色彩を整えるための塗装や、デザイン的な観点での模様があらかじめ形成されていてもよい。
【００１２】
透明基材の厚さについては特に制限はないが、耐久性を確保し、かつ汎用性を考慮すると、通常２０〜２００μｍ程度、好ましくは３０〜１５０μｍの範囲である。
【００１３】
［選択反射層］
本発明の選択波長反射フィルムは選択反射層１２を有し、該選択反射層がコレステリック構造を持つ棒状化合物を含んでなることが特徴である。
選択反射層は、層の一方の面から入射する光（電磁波）のうち右円偏光成分または左円偏光成分を選択反射し、残りの成分を透過する機能を有する。このように特定の円偏光成分のみを反射できる材料として、コレステリック液晶材料が知られている。コレステリック液晶材料は、液晶のプレーナー配列のヘリカル軸に沿って入射した光（電磁波）の右旋および左旋の２つの円偏光のうち一方の偏光を選択的に反射する性質を有する。この性質は、円偏光二色性として知られ、コレステリック液晶分子の螺旋構造における旋回方向を適宜選択すると、その旋回方向と同一の旋光方向を有する円偏光が選択的に反射される。
すなわち、本発明の選択反射層は、透明基材の表面に対して法線の方向（下記の光の入射角θ＝０°）に、多層構造となる一定周期のらせん構造（コレステリック構造）を有し、らせんピッチに対応した波長の円偏光を反射するという波長選択反射性を有する。選択反射波長λ（ピーク波長λ  ｎｍ）は、一般に次式で与えられる。
λ＝ｐ・ｎ・ｃｏｓθ
ｐ：コレステリック液晶のらせんピッチ（ｎｍ）
ｎ:液晶のらせん軸に直交する面内の平均屈折率
θ：光の入射角（面の法線からの角度）
コレステリック構造を有する液晶は、このような選択反射性能を有し、取り扱いが容易であり、加工性に優れている。
【００１４】
本発明の選択波長反射フィルムにおける選択反射ピーク波長は、コレステリック構造のピッチ長で決定され、ネマチック液晶分子（液晶性モノマー）とカイラル剤を用いてコレステリック液晶を得る場合には、カイラル剤の添加量を調整することによりピッチ長を制御できる。必要とするピッチ長を得るためのカイラル剤の添加量は、使用する液晶材料の種類やカイラル剤の種類により異なり、用いる材料に応じて適宜決定される。また、液晶に高分子コレステリック液晶を用いる場合は、目的とするピッチ長を有するポリマー材料を選べばよい。
本発明の選択波長反射フィルムにおいては、任意にその波長を選択でき、例えば選択波長として赤外線領域（７８０〜２５００ｎｍ）を選択すれば、いわゆる赤外線反射フィルムを好適に得ることができる。
なお、ネマチック液晶分子（液晶性モノマー）の合成については、例えば、特表２００１−５２１５３８に記載される方法を用いることができる。
【００１５】
また、本発明においては、流動性が発現しないように液晶を固定化させる必要がある。そのため、液晶層に用いられる液晶としては、重合性のネマチック液晶に重合性のカイラル剤を混合した重合性のカイラルネマチック液晶（重合性モノマー又は重合性オリゴマー）、又は高分子コレステリック液晶を好ましく挙げることができる。
特に、前記の重合性液晶の中でも、架橋可能な重合性モノマー又は重合性オリゴマーを用いることが好ましく、重合性官能基としてアクリレート構造を有していることがさらに好ましい。より具体的には、重合性ネマチック液晶と重合性カイラル剤に公知の光重合開始剤等を添加し、紫外線を照射してラジカル重合させ、ネマチック液晶分子とカイラル剤との重合体を得るものである。
なお、一般に、「液晶」は、狭義には流動性を有する状態のものを指すが、本発明においては、流動性を有する液晶を架橋等の手段により、液晶の持つ光学特性、屈折率、異方性等の所望の性能を維持する状態で固化させ、非流動状態としたものも「液晶」とするものである。
【００１６】
次に、選択反射層の材料について詳細に説明する。選択反射層は、円偏光二色性を発揮する層であれば特に限定されるものではないが、具体的には、コレステリック構造を有する棒状化合物を含有するものを好適に挙げることができる。
上記棒状化合物としては、通常、屈折率異方性を有するものであり、分子内に重合性官能基を有するものが好適に用いられ、さらに３次元架橋可能な重合性官能基を有するものがより好適に用いられる。上記棒状化合物が重合性官能基を有することにより、上記棒状化合物を重合して固定することが可能になるため、経時変化が生じにくいものとすることができるからである。また、上記重合性官能基を有する棒状化合物と、上記重合性官能基を有さない棒状化合物とを混合して用いても良い。なお、上記「３次元架橋」とは、棒状化合物を互いに３次元に重合して、網目（ネットワーク）構造の状態にすることを意味する。
【００１７】
上記重合性官能基としては、例えば、紫外線、電子線等の電離放射線、或いは熱の作用によって重合する重合性官能基を挙げることができる。これら重合性官能基の代表例としては、ラジカル重合性官能基、或いはカチオン重合性官能基等が挙げられる。さらにラジカル重合性官能基の代表例としては、少なくとも一つの付加重合可能なエチレン性不飽和二重結合を持つ官能基が挙げられ、具体例としては、置換基を有するもしくは有さないビニル基、アクリレート基（アクリロイル基、メタクリロイル基、アクリロイルオキシ基、メタクリロイルオキシ基を包含する総称）等が挙げられる。また、上記カチオン重合性官能基の具体例としては、エポキシ基等が挙げられる。その他、重合性官能基としては、例えば、イソシアネート基、不飽和３重結合等が挙げられる。これらの中でもプロセス上の点から、エチレン性不飽和二重結合を持つ官能基が好適に用いられる。
また、棒状化合物は、液晶性を示す液晶性材料であることが好ましい。液晶性材料は屈折率異方性が大きいからである。棒状化合物の具体例としては、下記化学式（１）〜（６）で表される化合物を例示することができる。
【００１８】
【化１】
2012032759.tif 000003
【００１９】
ここで、化学式（１）、（２）、（５）および（６）で示される液晶性材料は、Ｄ.Ｊ.Ｂｒｏｅｒら、Ｍａｋｒｏｍｏｌ．Ｃｈｅｍ．１９０,３２０１−３２１５（１９８９）、またはＤ.Ｊ.Ｂｒｏｅｒら、Ｍａｋｒｏｍｏｌ.Ｃｈｅｍ.１９０,２２５５−２２６８（１９８９）に開示された方法に従い、あるいはそれに類似して調製することができる。また、化学式（３）および（４）で示される液晶性材料の調製は、ＤＥ１９５,０４,２２４に開示されている。
また、末端にアクリレート基を有するネマチック液晶性材料の具体例としては、下記化学式（７）〜（１７）に示すものも挙げられる。
【００２０】
【化２】
2012032759.tif 000004
【００２１】
さらに、棒状化合物として、ＳＩＤ  ０６  ＤＩＧＥＳＴ  １６７３−１６７６）に開示された下記化学式（１８）に表わされる化合物を例示することができる。
【００２２】
【化３】
2012032759.tif 000005
【００２３】
なお、上記棒状化合物は、１種類のみを用いてもよく、または、２種以上を混合して用いてもよい。例えば、上記棒状化合物として、両末端に重合性官能基を１つ以上有する液晶性材料と、片末端に重合性官能基を１つ以上有する液晶性材料とを混合して用いると、両者の配合比の調整により重合密度（架橋密度）及び光学特性を任意に調整できる点から好ましい。
【００２４】
本発明においては、上記のいずれの棒状化合物も好適に用いることができるが、なかでもネマチック液晶性を示す棒状化合物を用い、その棒状化合物とカイラル剤とを併用した材料が用いられることが好ましい。このような材料では、カイラルネマチック液晶を固定化されることが可能になるからである。
上記カイラル剤としては、上記棒状化合物を所定のコレステリック配列させることができるものであれば特に限定されるものではない。カイラル剤としては、例えば、下記の一般式（１９）、（２０）又は（２１）で表されるような、分子内に軸不斉を有する低分子化合物を用いることが好ましい。
【００２５】
【化４】
2012032759.tif 000006
【００２６】
【化５】
2012032759.tif 000007
【００２７】
【化６】
2012032759.tif 000008
【００２８】
上記一般式（１９）又は（２０）において、Ｒ1は水素又はメチル基を示す。Ｙは上記に示す式（ｉ）〜（ｘｘｉｖ）の任意の一つであるが、中でも、式（ｉ）、（ｉｉ）、（ｉｉｉ）、（ｖ）及び（ｖｉｉ）のいずれか一つであることが好ましい。また、アルキレン基の鎖長を示すｃ及びｄは、それぞれ個別に２〜１２の範囲で任意の整数をとり得るが、４〜１０の範囲であることが好ましく、６〜９の範囲であることがさらに好ましい。
また、カイラル剤として、以下のような化学式で表わされるものも用いることができる。
【００２９】
【化７】
2012032759.tif 000009
【００３０】
また、選択反射層を印刷又は塗工等により形成する際、重合性モノマー又は重合性オリゴマー等の液晶及びカイラル剤は溶媒に溶解して得られるコーティング液とすると、塗工性の面から好ましい。
この溶媒としては、材料に対し十分な溶解性を持つ限り特に限定されず公知のものを用いれば良く、例えば、アノン（シクロヘキサノン）、シクロペンタノン、トルエン、アセトン、ＭＥＫ（メチルエチルケトン）、ＭＩＢＫ（メチルイソブチルケトン）、ＤＭＦ（Ｎ，Ｎ−ジメチルホルムアミド）、ＤＭＡ（Ｎ，Ｎ−ジメチルアセトアミド）、酢酸メチル、酢酸エチル、ｎ−酢酸ブチル、酢酸３−メトキシブチル等の一般的な溶媒や、それらの混合溶媒が挙げられる。
選択反射層の形成方法としては、特に限定されず公知の方法を用いることができ、液晶、及びカイラル剤等を含むコーティング液を、基材上に、例えば、フレキソ印刷法、グラビア印刷法、孔版印刷法、インクジェット印刷法等の印刷方法により印刷することで形成することができる。
選択反射層１２の厚みは、通常１〜２０μｍ程度であり、好ましくは３〜１５μｍである。
【００３１】
［表面保護層］
本発明の選択反射フィルムにおける表面保護層１３は、電離放射線硬化性樹脂の架橋硬化したもので構成される。特に、表面保護層を形成する樹脂の架橋密度を高め、表面の耐摩耗性や耐擦傷性を向上させ得るとの観点から、また、無溶媒で塗工することができ、取り扱いが容易との観点から、電子線硬化性樹脂がさらに好ましい。
【００３２】
電離放射線硬化性樹脂とは、電磁波または荷電粒子線の中で分子を架橋、重合させ得るエネルギー量子を有するもの、すなわち、紫外線または電子線などを照射することにより、架橋、硬化する樹脂を指す。具体的には、従来電離放射線硬化性樹脂として慣用されている重合性モノマー及び重合性オリゴマーないしはプレポリマーの中から適宜選択して用いることができる。
代表的には、重合性モノマーとして、分子中にラジカル重合性不飽和基を持つ（メタ）アクリレート系モノマーが好適であり、中でも多官能性（メタ）アクリレートが好ましい。なお、ここで「（メタ）アクリレート」とは「アクリレート又はメタクリレート」を意味し、他の類似するものも同様の意である。多官能性（メタ）アクリレートとしては、分子内にエチレン性不飽和結合を２個以上有する（メタ）アクリレートであればよく、特に制限はない。これらの多官能性（メタ）アクリレートは１種を単独で用いてもよいし、２種以上を組み合わせて用いてもよい。
【００３３】
次に、重合性オリゴマーとしては、分子中にラジカル重合性不飽和基を持つオリゴマー、例えばエポキシ（メタ）アクリレート系、ウレタン（メタ）アクリレート系、ポリエステル（メタ）アクリレート系、ポリエーテル（メタ）アクリレート系などが挙げられる。ここで、エポキシ（メタ）アクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物で変性したカルボキシル変性型のエポキシ（メタ）アクリレートオリゴマーも用いることができる。ウレタン（メタ）アクリレート系オリゴマーは、例えば、ポリエーテルポリオールやポリエステルポリオールとポリイソシアネートの反応によって得られるポリウレタンオリゴマーを、（メタ）アクリル酸でエステル化することにより得ることができる。ポリエステル（メタ）アクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。ポリエーテル（メタ）アクリレート系オリゴマーは、ポリエーテルポリオールの水酸基を（メタ）アクリル酸でエステル化することにより得ることができる。
【００３４】
さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテル等の分子中にカチオン重合性官能基を有するオリゴマーなどがある。
【００３５】
本発明においては、電離放射線硬化性樹脂として、カプロラクトン系ウレタン（メタ）アクリレートが特に好ましい。カプロラクトン系ウレタン（メタ）アクリレートは、通常カプロラクトン系ポリオールと有機イソシアネートとヒドロキシ（メタ）アクリレートとの反応により得ることができるものである。
ここで、カプロラクトン系ポリオールとしては、市販されるものを使用することができ、好ましくは２個の水酸基を有し、重量平均分子量が好ましくは５００〜３０００、より好ましくは７５０〜２０００のものが挙げられる。また、カプロラクトン系以外のポリオール、例えばエチレングリコール、ジエチレングリコール、１，４−ブタンジオール、１，６−ヘキサンジオールなどのポリオールを１種又は複数種を任意の割合で混合して使用することもできる。
有機ポリイソシアネートとしては、２個のイソシアネート基を有するものが好ましく、黄変を抑制する観点から、イソホロンジイソシアネート、ヘキサメチレンジイソシアネート、４，４′−ジシクロヘキシルメタンジイソシアネート、トリメチルヘキサメチレンジイソシアネートなどが好ましく挙げられる。また、ヒドロキシ（メタ）アクリレートとしては、２−ヒドロキシエチル（メタ）アクリレート、２−ヒドロキシプロピル（メタ）アクリレート、カプロラクトン変性−２−ヒドロキシエチル（メタ）アクリレートなどが好ましく挙げられる。
【００３６】
カプロラクトン系ウレタン（メタ）アクリレートは、これらのポリカプロラクトン系ポリオールと有機ポリイソシアネートとヒドロキシ（メタ）アクリレートとの反応で合成することができる。合成法としては、ポリカプロラクトン系ポリオールと有機ポリイソシアネートとを反応させて、両末端に−ＮＣＯ基を含有するポリウレタンプレポリマーを生成させた後に、ヒドロキシ（メタ）アクリレートと反応させる方法が好ましい。反応の条件などは常法に従えばよい。
【００３７】
本発明で用いられるカプロラクトン系ウレタン（メタ）アクリレートは、その重量平均分子量（ＧＰＣ法で測定したポリスチレン換算の重量平均分子量）が、１０００〜１００００であることが好ましく、２０００〜１００００がより好ましい。すなわち、カプロラクトン系ウレタン（メタ）アクリレートはオリゴマーであることが好ましい。重量平均分子量が上記範囲内（オリゴマー）であれば、加工性に優れ、コーティング剤組成物が適度なチクソ性が得られるので、表面保護層の形成が容易となる。
【００３８】
本発明においては、前記多官能性（メタ）アクリレートなどとともに、その粘度を低下させるなどの目的で、単官能性（メタ）アクリレートを、本発明の目的を損なわない範囲で適宜併用することができる。これらの単官能性（メタ）アクリレートは１種を単独で用いてもよいし、２種以上を組み合わせて用いてもよい。
【００３９】
本発明の選択波長反射フィルムにおける表面保護層は、選択反射層の上に直接又はプライマー層など他の層を介して、電離放射線硬化性樹脂組成物を塗工し、電離放射線の照射により、架橋硬化させて形成される。又は、何らかの基材に電離放射線硬化性樹脂を塗工し、電離放射線の照射により架橋硬化させ、その上に選択反射層を形成した後、本発明で用いる透明基材に転写することによって、本発明の選択波長反射フィルムを製造することができる。
該電離放射線樹脂組成物の塗工は、硬化後の厚さが通常１〜２０μｍ程度となるように、グラビアコート、バーコート、ロールコート、リバースロールコート、コンマコートなどの公知の方式、好ましくはグラビアコートにより行う。また、優れた耐候性とその持続性、さらには透明性と防汚性とを得る観点から、硬化後の厚さは、好ましくは２〜２０μｍである。
【００４０】
本発明で好適な電離放射線樹脂組成物の塗工により形成した未硬化樹脂層は、電子線、紫外線などの電離放射線を照射して架橋硬化することで、表面保護層となる。ここで、電離放射線として電子線を用いる場合、その加速電圧については、用いる樹脂や層の厚みに応じて適宜選定し得るが、通常、加速電圧７０〜３００ｋＶ程度で未硬化樹脂層を硬化させることが好ましい。
【００４１】
照射線量は、カプロラクトン系ウレタン（メタ）アクリレートなどの電離放射線硬化性樹脂の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
また、電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる。
【００４２】
また、表面保護層は、凹部を有していてもよい。表面保護層に凹部を施す方法については特に制限はなく、例えばエンボス加工により施される。エンボス加工は、公知の枚葉又は輪転式のエンボス機を使用する通常の方法により行えばよい。
【００４３】
本発明における電離放射線硬化性樹脂組成物には、紫外線吸収剤（ＵＶＡ）及び／又は光安定剤を含有させることが、本発明の選択反射フィルムに耐候性を付与する点で好ましい。
紫外線吸収剤としては、無機系、有機系のいずれでもよく、無機系紫外線吸収剤としては、平均粒径が５〜１２０ｎｍ程度の酸化チタン、酸化セリウム、酸化亜鉛などを好ましく用いることができる。また、有機系紫外線吸収剤としては、例えばベンゾトリアゾール系、トリアジン系、ベンゾフェノン系、サリチレート系、アクリロニトリル系などが好ましく挙げることができる。なかでも、紫外線吸収能が高く、また紫外線などの高エネルギーに対しても劣化しにくいトリアジン系がより好ましい。
【００４４】
トリアジン系紫外線吸収剤としては、ヒドロキシフェニルトリアジン系紫外線吸収剤が好ましく、例えば、２−（２−ヒドロキシ−４−［１−オクチルオキシカルボニルエトキシ］フェニル）−４，６−ビス（４−フェニルフェニル）−１，３，５−トリアジン、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２，４−ビス［２−ヒドロキシ−４−ブトキシフェニル］−６−（２，４−ジブトキシフェニル）−１，３，５−トリアジン、２−［４−［（２−ヒドロキシ−３−トリデシルオキシプロピル）オキシ］−２−ヒドロキシフェニル］−４，６−ビス（２，４−ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジンなどが好ましく挙げられ、これらを単独で、又は複数種を組み合わせて用いることができる。
【００４５】
トリアジン系紫外線吸収剤の含有量は、電離放射線硬化性樹脂１００質量部に対して、１〜１０質量部が好ましく、３〜１０質量部がより好ましく、５〜１０質量部がさらに好ましい。トリアジン系紫外線吸収剤の含有量が上記範囲内であれば、該吸収剤がブリードアウトすることなく、また十分な紫外線吸収能が得られるので、優れた耐候性が得られる。これまで一般的には、バインダー樹脂１００質量部に対して紫外線吸収剤を１質量部以上加えると、該吸収剤がブリードアウトする場合があるため、より優れた紫外線吸収能を得ようとしても得られなかった。しかし、本発明によって、トリアジン系紫外線吸収剤と電離放射線硬化性樹脂、特にはカプロラクトン系ウレタン（メタ）アクリレートと、後述する所定の光安定剤との組合せにより、１質量部以上という多量の紫外線吸収剤を添加しても、該吸収剤がブリードアウトすることなく、優れた耐候性を得ることが可能となった。
【００４６】
次に、光安定剤としては、ヒンダードアミン系光安定剤（ＨＡＬＳ）などが好ましく挙げられる。
本発明で用いられるヒンダードアミン系光安定剤（ＨＡＬＳ）としては、反応性官能基Ａを有するヒンダードアミン系光安定剤が好ましい。反応性官能基Ａは、カプロラクトン系ウレタン（メタ）アクリレートなどの放射線硬化性樹脂と反応性を有するものであれば特に制限はなく、例えば、（メタ）アクリロイル基、ビニル基、アリル基などのエチレン性二重結合を有する官能基などが好ましく挙げられ、これらから選ばれる少なくとも一種であることが好ましい。なかでも（メタ）アクリロイル基が好ましい。
このような光安定剤としては、１，２，２，６，６−ペンタメチル−４−ピペリジニルメタクリレート、ビス（１，２，２，６，６−ペンタメチル−４−ピペリジル）セバケート、ビス（２，２，６，６−ペンタメチル−４−ピペリジル）セバケート、ビス（１，２，２，６，６−ペンタメチル−４−ピペリジニル）セバケート、メチル（１，２，２，６，６−ペンタメチル−４−ピペリジニル）セバケート、２，４−ビス［Ｎ−ブチル−Ｎ−（１−シクロヘキシルオキシ−２，２，６，６−テトラメチルピペリジン−４−イル）アミノ］−６−（２−ヒドロキシエチルアミン）−１，３，５−トリアジン）などが挙げられる。
【００４７】
反応性官能基Ａを有するヒンダードアミン系光安定剤の含有量は、電離放射線硬化性樹脂１００質量部に対して、１〜１０質量部が好ましく、３〜１０質量部がより好ましく、５〜１０質量部がさらに好ましい。ヒンダードアミン系光安定剤の含有量が上記範囲内であれば、該光安定剤がブリードアウトすることなく、また十分な光安定性が得られるので、優れた耐候性が得られる。
【００４８】
本発明の選択波長反射フィルムにおいては、電離放射線硬化性樹脂組成物中に反応性官能基Ｂを有するシリケート化合物を含有することが好ましい。該シリケート化合物は、本発明の選択波長反射フィルムに自浄性を付与するために、所望により用いられるものである。本発明で用いられるシリケート化合物は、カプロラクトン系ウレタン（メタ）アクリレートなどの電離放射線硬化性樹脂と反応性を有する反応性官能基Ｂを有するシリケート化合物であれば特に制限はない。反応性官能基Ｂとしては、（メタ）アクリロイル基、ビニル基、アリル基などのエチレン性二重結合を有する官能基などが好ましく挙げられ、これらから選ばれる少なくとも一種であることが好ましい。なかでも（メタ）アクリロイル基が好ましい。
反応性官能基Ｂを有するシリケート化合物は、好ましくは下記一般式（ａ）で示される化合物である。
【００４９】
【化８】
2012032759.tif 000010
【００５０】
式（ａ）中、Ｒ1〜Ｒ3は、水素原子、又は炭素数１〜１０の有機基を示し、複数のＲ1及びＲ2は、同じでも異なっていてもよい。また、Ｒ4は反応性官能基Ｂを含む官能基である。
炭素数１〜１０の有機基としては、アルキル基、アルケニル基、シクロアルキル基、アリール基、アラルキル基などが好ましく挙げられる。これらの基は置換されていても置換されていなくてもよく、また、アルキル基及びアルケニル基は直鎖状であっても、枝分かれ状であってもよい。これらのうち、炭素数１〜４のアルキル基がより好ましい。
【００５１】
また、ｎ1は１〜３０が好ましく、１〜１０がより好ましい。すなわち、反応性官能基αを有するシリケート化合物は、好ましくは一般式（ａ）で示されるシリケート化合物あるいはその縮合物であり、縮合物としては２〜３０量体が好ましく、２〜１０量体であることがより好ましい。なお、シリケート化合物の縮合体を用いるとき、上記の好ましい２〜３０量体あるいはより好ましい２〜１０量体は、平均値の場合も含む。
【００５２】
より具体的には、下記一般式（ｂ）で示される化合物が好ましい。
【００５３】
【化９】
2012032759.tif 000011
【００５４】
式（ｂ）中、Ｒ5〜Ｒ7は各々Ｒ1〜Ｒ3と同じである。Ｒ11はＲ1と同様であり、特に好ましくは水素原子又はメチル基である。また、Ｒ8及びＲ10は単結合又は２価の有機基を示す。また、Ｒ9は、単結合、カルボニル基（−ＣＯ−）、エーテル結合（−Ｏ−）、エステル結合（−ＣＯＯ−）、チオエーテル結合（−Ｓ−）アミド結合（−ＣＯＮＨ−）、イミノ結合（−ＮＨ−）、カーボネート結合（−ＯＣＯＯ−）、及びこれらが複数個連結した基を示す。２価の有機基としては、アルカンジイル基、アルケンジイル基、アリーレン基、アリーレンアルカンジイル基などが好ましく挙げられる。これらの基は置換されていても置換されていなくてもよく、また、アルカンジイル基及びアルケンジイル基は直鎖状であっても、枝分かれ状であってもよい。これらのうち、炭素数１〜４のアルカンジイル基がより好ましい。Ｒ9としては、エステル結合（−ＣＯＯ−）がより好ましい。
また、ｎ2は上記のｎ1と同じである。
【００５５】
反応性官能基Ｂを有するシリケート化合物の含有量は、電離放射線硬化性樹脂１００質量部に対して、１〜１５質量部が好ましく、３〜１５質量部がより好ましく、５〜１５質量部がさらに好ましい。シリケート化合物の含有量が上記範囲内であれば、カプロラクトン系ウレタン（メタ）アクリレートなどの電離放射線硬化性樹脂の良好な架橋状態が得られる。また、本発明の選択波長反射フィルムにおける表面保護層は、適度な親水性を有することになるため、水の濡れ性が高まり、優れた自浄性を有することができる。すなわち、内外装材や建造物は、風雨に晒されるが、表面保護層が親水性を有することで雨水が該表面保護層上に薄膜を形成しやすくなるため、汚染物自体の付着が抑制され、あるいは付着した汚染物が除去されやすくなる。
【００５６】
また、本発明においては、本発明の選択波長反射フィルムに自浄性を付与するために、アルキルシリケートを含有することが好ましい。アルキルシリケートは、Ｓｉ原子と結合するアルコキシル基を少なくとも一つ有するものであればよく、好ましくは下記一般式（ｃ）で示されるテトラアルキルシリケートである。
【００５７】
【化１０】
2012032759.tif 000012
【００５８】
式（ｃ）中、Ｒ12〜Ｒ15は、水素原子、又は炭素数１〜１０の直鎖状あるいは枝分かれ状のアルキル基を示し、複数のＲ12及びＲ15は、同じでも異なっていてもよい。また、全てのＲ12〜Ｒ15が同時に水素原子となることはない。Ｒ12〜Ｒ15としては、自浄性能及び可視光透過性を向上させる観点から、炭素数１〜４のアルキル基が好ましく、炭素数１及び２のアルキル基がより好ましい。
【００５９】
ｎ3は自浄性能及び可視光透過性を向上させる観点から、１〜４０が好ましく、１０〜３０がより好ましく、１０〜２０がさらに好ましい。すなわち、アルキルシリケートは、好ましくは一般式（ｃ）で示されるアルキルシリケートあるいはその縮合物であり、縮合物としては２〜４０量体が好ましく、１０〜３０量体であることがより好ましく、さらに１０〜２０量体が好ましい。なお、本発明においては、アルキルシリケートの縮合体を用いるとき、上記の好ましい２〜４０量体、より好ましい１０〜３０量体、あるいはさらに好ましい１０〜２０量体は、平均値である場合も含む。よって、例えば１５〜４５量体の混合物であり平均２０量体のアルキルシリケートのように、４０量体よりも大きいものが含まれていても、平均４０量体以下であれば、本発明で好ましく用いられる２〜４０量体のアルキルシリケートの縮合物に含まれる。
また、分子量は、１５０〜４０００が好ましく、１０００〜３０００がより好ましく、さらに１０００〜２０００が好ましい。なお、本発明においては、分子量も、上記の量体と同様に、平均値である場合も含む。
【００６０】
本発明の選択波長反射フィルムの表面保護層を構成する樹脂組成物中には、その性能を阻害しない範囲で各種添加剤を含有することができる。各種添加剤としては、例えば重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
【００６１】
〈耐候性付与層〉
本発明の選択波長反射フィルムは、図２に示すように、選択反射層１２と表面保護層１３の間に耐候性付与層をプライマー層１４（以下「耐候プライマー層」と称することがある。）として組み込むことができる。耐候プライマー層は、本発明の選択波長反射フィルムに耐候性を付与するものである。耐候プライマー層としては、例えば熱可塑性樹脂により形成されたものを好適に使用することができ、耐候性改善剤として紫外線吸収剤（ＵＶＡ）やヒンダードアミン系光安定剤（ＨＡＬＳ）を含有させる。紫外線吸収剤（ＵＶＡ）及びヒンダードアミン系光安定剤（ＨＡＬＳ）としては、前述のものを使用することができる。
熱可塑性樹脂としては、具体的には、軟質、半硬質又は硬質ポリ塩化ビニル、ポリエチレンテレフタレート、ポリブチレンテレフタレート、ポリアミド、ポリエチレン、ポリプロピレン、エチレン・酢酸ビニル共重合体、エチレン・アクリル酸共重合体、エチレン・アクリル酸エステル共重合体、アイオノマー、アクリル酸エステル、メタアクリル酸エステルなどを挙げることができる。本発明では、特に耐候プライマー層として、ポリプロピレンなどのポリオレフィン系樹脂が好ましい。
【００６２】
耐候プライマー層は、必要に応じて着色されていてもよい。この場合は、上記のような熱可塑性樹脂に対して着色剤（顔料又は染料）を添加して着色することができる。着色剤としては、公知又は市販の顔料又は染料を適宜使用することができる。これらは、１種又は２種以上を選ぶことができ、また、着色剤の添加量も、所望の色合いなどに応じて適宜設定すればよい。
【００６３】
耐候プライマー層における紫外線吸収剤の含有量は、耐候プライマー層を形成する樹脂１００質量部に対して、通常０．１〜１質量部の範囲であり、好ましくは０．３〜０．８質量部の範囲である。０．１質量部以上であると本発明のフィルムに十分な耐候性を付与することができ、１質量部以下であると、ブリードアウトすることがない。
耐候性付与層における光安定剤の含有量は、耐候性付与層を形成する樹脂１００質量部に対して、通常０．０５〜０．８質量部の範囲であり、好ましくは０．１〜０．５質量部の範囲である。０．０５質量部以上であると本発明のフィルムに十分な耐候性を付与することができ、０．８質量部以下であると、ブリードアウトすることがない。
【００６４】
また、耐候性付与層には、必要に応じて充填剤、艶消し剤（マット剤）、難燃剤、滑剤、帯電防止剤、酸化防止剤、軟質成分（例えばゴム）などの各種の添加剤が含まれていてもよい。
【００６５】
耐候性付与層の形成方法については特に制限されず、種々の方法を用いることができる。例えば予め形成されたシート又はフィルムを隣接する層に積層する方法、隣接する層と一緒にラミネートする方法などのいずれも採用することができる。
なお、耐候性付与層の厚みは、最終製品の用途、使用方法などにより適宜設定できるが、一般的には２０〜２５０μｍ、特に５０〜２００μｍ程度とすることが好ましい。
【実施例】
【００６６】
次に、本発明を実施例により、さらに詳細に説明するが、本発明は、この例によってなんら限定されるものではない。
（評価方法）
（１）外観
各実施例及び比較例で製造した選択波長反射フィルムの外観を目視にて評価した。
○;透明
×;着色
（２）自浄性の評価
各実施例及び比較例で得られたフィルムを、屋外南向きに傾斜４５°で設置して、３ヶ月放置する屋外曝露試験を行った。その後、表面の汚れの付着及び沈着状態を下記の基準で評価した。
○  ：汚れの付着や沈着はほとんどなかった
△  ：汚れの付着や沈着は若干あるが、実用上問題なかった
×  ：汚れの付着や沈着が著しかった
【００６７】
（３）自浄性の持続性の評価
実施例及び比較例で得られたフィルムを、赤色染料で着色したサラダ油を塗布した後、水で洗い流した。その後、表面の汚れの付着及び沈着状態を下記の基準で評価した。
◎  ：全く変化がなかった
○  ：汚れの付着や沈着はほとんどなかった
△  ：汚れの付着や沈着は若干あるが、実用上問題なかった
×  ：汚れの付着や沈着が著しかった
（４）耐温水白化性
実施例及び比較例で得られたフィルムを、５０℃の温水に浸漬し、２日間保持してから、フィルム表面の白化状態を下記の基準で評価した。
○  ：外観変化は全くなかった
△  ：外観変化は若干あるが、実用上問題なかった
×  ：外観変化が著しかった
【００６８】
（５）べたつき（ブリードアウトの評価）
実施例及び比較例で得られたフィルムを８０℃の条件下で２４時間保管した後、フィルムの表面を指で触って、下記の基準で評価した。
○  ：べたつきは全くなかった
△  ：紫外線吸収剤などのブリードによるべたつきは若干あるが、実用上問題なかった
×  ：ブリードによるべたつきが著しかった
（６）耐溶剤性の評価
３００ｇ／ｃｍ2の錘に、ガーゼを輪ゴムで取り付け、酢酸エチルを染み込ませる。各実施例及び比較例で得られたシートの表面を横方向に５０往復し、シートの表面を目視して、下記の基準で評価した。
○  ：シート表面の変化は全くみられなかった
△  ：シート表面の変化が若干みられたが、実用上問題なかった
×  ：シート表面の変化が著しかった
【００６９】
（７）耐傷性の評価
各実施例及び比較例で得られたフィルムについて、スチールウールを用いて、３００ｇ／ｃｍ2の荷重をかけて５往復擦り、外観を目視で評価した。評価基準は以下のとおりである。
○  ：外観にほとんど変化なかった
△  ：外観に若干の傷つきや艶変化があった
×  ：外観に傷つきがあり、艶変化があった
（８）耐候性の評価（耐候性試験）
実施例及び比較例で得られたフィルムを、ダイプラ・ウィンテス株式会社製メタルウェザーにセットし、ライト条件（照度：６０ｍＷ／ｃｍ2、ブラックパネル温度６３℃、層内湿度５０％ＲＨ）で２０時間、結露条件（照度：０ｍＷ／ｃｍ2、ブラックパネル温度３０℃、層内湿度９８％ＲＨ）で４時間、水噴霧条件（結露条件の前後１０秒間）の条件で８００時間放置する耐候性試験を行った。該試験後、２５℃５０％ＲＨの条件下で２日間保持してから、フィルム表面にクラックや白化などの外観を下記の基準で評価した。
◎  ：外観変化は全くなかった
○  ：外観変化はほとんどなかった
△  ：外観変化は若干あるが、実用上問題なかった
×  ：外観変化が著しかった
【００７０】
（９）耐候密着性の評価
上記耐候性試験を行ったフィルムについて、その表面にニチバン製セロテープ（登録商標）を貼付けて急激に剥離する操作を１回行った。このときの、基材上に設けた各層が剥離するかどうかを肉眼観察により確認し、下記の基準で評価した。
○  ：層の剥離は全くなかった
△  ：層の剥離は若干あるが、実用上問題なかった
×  ：層の剥離が著しかった
【００７１】
実施例１
透明基材としてポリエチレンテレフタレート原反（東レ株式会社製「Ｕ−３５」、厚さ１２５μｍ、以下「ＰＥＴ基材」と称する。）を用意した。
次に、下記式（Ｉ）に示される液晶性モノマー９７．４質量部と、両側の末端に重合可能なアクリレートを有するカイラル剤（右旋回性、Ｐａｌｉｏｃｏｌｏｒ（登録商標）ＬＣ７５６（ＢＡＳＦ社製））２．６質量部とを溶解させたシクロヘキサノン溶液を準備した。なお、上記シクロヘキサノン溶液には、上記液晶性モノマー分子に対して５．０質量部の光重合開始剤（イルガキュア１８４）を添加した（固形分３０質量部）。
次に、ＰＥＴ基材に、配向膜を介さずにバーコーターにて、上記のシクロヘキサノン溶液を塗布した。次いで、１００℃で２分間保持し、シクロヘキサノン溶液中のシクロヘキサノンを蒸発させて、液晶性モノマー分子を配向させ、右旋回性塗膜を得た。そして、得られた塗膜に、紫外線照射装置(フュージョン社製、Ｈバルブ、以下同じ)を用いて紫外線２００ｍＪ／ｃｍ2（照射量測定はフュージョン社製、ＵＶ  Ｐｏｗｅｒ  ＭＡＰにて測定、以下同じ)照射し、塗膜中の光重合開始剤から発生するラジカルによって、配向した液晶性モノマー分子のアクリレート及びカイラル剤のアクリレートを３次元架橋してポリマー化し、第１のＰＥＴ基材上にコレステリック構造を固定化することにより、選択反射層（膜厚６．５ｇ／ｍ2）を形成した。
その後、電離放射線硬化性樹脂組成物として、カプロラクトン系ウレタンアクリレートオリゴマー(２官能、分子量：約１０００)に、ＥＢ反応性光安定剤（ＢＡＳＦジャパン株式会社製，商品名「サノールＬＳ−３４１０」，１，２，２，６，６−ペンタメチル−４−ピペリジニルメタクリレート）を６質量部、トリアジン系紫外線吸収剤（ＢＡＳＦジャパン株式会社製、商品名「チヌビン４７９」）を２質量部、下記化学式（ｄ）で示される末端にビニル基を有するシリケート化合物を１０質量部含有させた組成物を用いて、グラビアコートにて塗膜を形成した。その後、１７５ｋｅＶ及び５Ｍｒａｄ（５０ｋＧｙ）の条件で電子線を照射して上記塗膜を架橋硬化させることにより、表面保護層（５ｇ／ｍ2）を形成させて赤外線反射フィルム（本発明の選択波長反射フィルム）を得た。なお、表面保護層の厚さは５μｍであった。上記方法にて評価した結果を第１表に示す。
また、本実施例において用いたシクロヘキサノン溶液をガラス基板に塗布し、上記と同様にして配向させ、固定化した選択反射層について、株式会社島津製作所製「ＵＶ−３１００ＰＣ」を用いて、各波長に対する反射率（％）を測定した結果を第２表に示す。本実施例で用いた選択反射層は、約１０００ｎｍにピークを有する赤外線を反射することがわかる。
【００７２】
【化１１】
2012032759.tif 000013
【００７３】
【化１２】
2012032759.tif 000014
【００７４】
実施例２
実施例１の表面保護層を、カプロラクトン系ウレタンアクリレートオリゴマーの代わりにポリエーテル系ウレタンアクリレート（３官能，分子量：２０００）としたこと以外は、実施例1と同様に赤外線反射フィルムを作製した。
【００７５】
実施例３
実施例１の表面保護層を、カプロラクトン系ウレタンアクリレートオリゴマー(２官能，分子量：約１０００)のみとしたこと以外は、実施例１と同様に赤外線反射フィルムを作製した。
【００７６】
実施例４
実施例１において、電離放射線硬化性樹脂組成物中のシリケート化合物をアルキルシリケート１（「エチルシリケート２８（商品名）」，コルコート株式会社製，上記一般式（ｃ）におけるＲ12〜Ｒ15が全てエチル基のアルキルシリケート単量体）に代えたこと以外は、実施例１と同様にして赤外線反射フィルムを作製した。
【００７７】
実施例５
実施例１において、電離放射線硬化性樹脂組成物中のシリケート化合物をアルキルシリケート２（「エチルシリケート４８（商品名）」，コルコート株式会社製，上記一般式（ｃ）におけるＲ12〜Ｒ15が全てエチル基のアルキルシリケートの平均１０量体，重量平均分子量：１３００）にかえた以外は、実施例１と同様にして赤外線反射フィルムを作製した。
【００７８】
実施例６
実施例１において、電離放射線硬化性樹脂組成物中のシリケート化合物をアルキルシリケート３（「ＭＳ−５６（商品名）」，三菱化学株式会社製，上記一般式（３）におけるＲ12〜Ｒ15が全てメチル基のアルキルシリケートの平均１０量体（１０〜１２量体の混合物），重量平均分子量：１１００〜１３００）にかえた以外は、実施例１と同様にして赤外線反射フィルムを作製した。
【００７９】
実施例７
実施例１において、電離放射線硬化性樹脂組成物中のシリケート化合物をアルキルシリケート４（「ＭＳ−５６Ｓ（商品名）」，三菱化学株式会社製，上記一般式（３）におけるＲ12〜Ｒ15が全てメチル基のアルキルシリケートの平均１６量体（１４〜１８量体の混合物），重量平均分子量：１５００〜１９００）にかえた以外は、実施例１と同様にして赤外線反射フィルムを作製した。
【００８０】
実施例８
実施例１において、電離放射線硬化性樹脂組成物中のシリケート化合物をメトキシ基とエトキシ基とを有するアルキルシリケート５（「ＥＭＳ−４８５（商品名）」，コルコート株式会社製，上記一般式（３）におけるＲ12及びＲ13がメチル基であり、Ｒ14及びＲ15がエチル基であるアルキルシリケートの平均１０量体である。重量平均分子量：１３００）とした以外は、実施例１と同様にしてコーティングフィルムを得た。
得られたフィルムについて、上記の評価を行った。評価結果を第１表に示す。
【００８１】
比較例１
実施例１において、表面保護層を設けなかったこと以外は、実施例１と同様にして、赤外線反射フィルムを得た。実施例１と同様に評価した結果を第１表に示す。
【００８２】
【表１】
2012032759.tif 000015
（注）表中のコーティング剤に関する数値は全て質量部である。
【００８３】
【表２】
2012032759.tif 000016
【産業上の利用可能性】
【００８４】
本発明によれば、特定の波長の光線を選択的に反射し得る選択波長反射フィルムを得ることができ、特に、赤外線に相当する波長である７８０〜２５００ｎｍの光線を選択的に反射させる場合には、可視光の透過性を維持しつつ、赤外線に対して優れた反射性を有する選択波長反射フィルム（赤外線反射フィルム）を得ることができる。
赤外線反射フィルムとして用いた場合には、窓、天井などの建築物に用いることで、室内の明るさを保ちながら、室内の温度上昇を抑えることができる。また、車載用として用いた場合にも、夏場の車内の温度上昇を抑制することができる。さらに、ビニールハウスなどの用途として用いることもできる。
また、選択波長として特定の可視光の波長を選んだ場合には、調光材料として用いることができ、また、輝度向上フィルムとして用いることができる。
さらには、紫外線等の短波長領域を選択した場合には、紫外線、電磁波などの有害光線の遮蔽フィルムとして好適に使用することができる。
【符号の説明】
【００８５】
１０  選択波長反射フィルム
１１  透明基材
１２  選択反射層
１３  表面保護層
１４  プライマー層
【図１】
2012032759.tif 000017
【図２】
2012032759.tif 000018